【手続補正書】
【提出日】平成17年2月22日(2005.2.22)
【手続補正１】
【補正対象書類名】明細書
【補正対象項目名】特許請求の範囲
【補正方法】変更
【補正の内容】
【特許請求の範囲】
【請求項１】
隣接する複数のラインで構成される画像を表すアナログ信号をディジタル信号に変換する画像信号変換装置であって、
一本のラインに対応するアナログ信号たるライン信号から所定画素数の信号をサンプリングする標本化部と、
前記ライン信号の入力から前記サンプリング開始までのタイミングたる位相の調整量を最適化する最適化部と、
前記位相を前記調整量に応じて調整する調整部とを備え、
前記最適化部は、
前記位相の最小調整単位よりも大きい第１の間隔で設定された複数の第１次調整量に対して、前記サンプリングされた各ライン間のずれを定量的に計算する第１次計算部と、
前記第１次調整量の中から、前記ずれが極小となる少なくとも１つの調整量を選択する選択部と、
該選択された第１次調整量の周辺において、前記第１の間隔よりも小さい第２の間隔で設定された第２次調整量に対して、前記ずれを定量的に計算する第２次計算部と、
前記ずれの計算を行った全ての調整量の中から、前記ずれが極小となる調整量を最適値として前記調整部に設定する調整量設定部とを有する画像信号変換装置。
【請求項２】
請求項１記載の画像信号変換装置であって、
前記第２の間隔が前記最小調整単位よりも大きい場合に、前記第２次調整量を前記第１次調整量として扱って前記第２次計算部を稼働させる収束制御部を備える画像信号変換装置。
【請求項３】
請求項１記載の画像信号変換装置であって、
前記第２次調整量は、前記選択された１つの調整量のみを挟む所定範囲で設定される画像信号変換装置。
【請求項４】
請求項１記載の画像信号変換装置であって、
前記第２の間隔は、前記第１の間隔の１／２である画像信号変換装置。
【請求項５】
請求項１記載の画像信号変換装置であって、
前記第１の間隔は、少なくとも両端を除く範囲で均等に設定されている画像信号変換装置。
【請求項６】
請求項１記載の画像信号変換装置であって、
前記最適化部は、予め離散的に設定された所定個数の位相から前記調整量を選択する画像信号変換装置。
【請求項７】
請求項６記載の画像信号変換装置であって、
前記所定個数の位相間をそれぞれ区分と呼ぶとき、前記第１次調整量の個数は、調整可能な全範囲に相当する区分数に対し、１を除く約数となっている画像信号変換装置。
【請求項８】
請求項６記載の画像信号変換装置であって、
前記調整量記憶部は、前記第１次調整量の組を複数記憶し、
前記第１次計算部は、いずれかの組を選択して前記ずれを計算する画像信号変換装置。
【請求項９】
請求項８記載の画像信号変換装置であって、
前記調整の再試行を指示する再試行指示部を備え、
前記第１次計算部は、該再試行においては、直前の組とは異なる組を選択する画像信号変換装置。
【請求項１０】
請求項８記載の画像信号変換装置であって、
前記記憶部は、所定の代表調整量と、該代表調整量からの相対的な偏差によって前記第１次調整量を記憶しており、
前記各組の第１次調整量は、前記代表調整量のみが相違しており、
該代表調整量の相違量は、前記第２の間隔より小さく設定されている画像信号変換装置。
【請求項１１】
請求項６記載の画像信号変換装置であって、
前記第１次調整量は、前記所定個数の位相の両端の調整量を含まない画像信号変換装置。
【請求項１２】
隣接する複数のラインで構成される画像を表すアナログ信号をディジタル信号に変換する画像信号変換装置であって、
一本のラインに対応するアナログ信号たるライン信号から所定画素数の信号をサンプリングする標本化部と、
前記ライン信号の入力から前記サンプリング開始までのタイミングたる位相を予め離散的に設定された３２個の既定調整量から最適化の値を選択する最適化部と、
前記位相を前記調整量に応じて調整する調整部とを備え、
前記最適化部は、
前記既定調整量の最小値または最小値よりも一つ大きい値を開始点として、２個以上８個以下の均等間隔で設定された複数の第１次調整量に対して、前記サンプリングされた各ライン間のずれを定量的に計算する第１次計算部と、
前記第１次調整量の中から、前記ずれが極小となる少なくとも１つの調整量を選択する選択部と、
該選択された第１次調整量の周辺において、前記第１の間隔よりも小さい第２の間隔で設定された第２次調整量に対して、前記ずれを定量的に計算する第２次計算部と、
前記ずれの計算を行った全ての調整量の中から、前記ずれが極小となる調整量を最適値として前記調整部に設定する調整量設定部とを有する画像信号変換装置。
【請求項１３】
画像を表示する画像表示装置であって、
該画像を表すアナログ信号を入力する入力部と、
該アナログ信号をディジタル信号に変換する請求項１〜１２いずれか記載の画像信号変換装置と、
該標本化された画像を表示する表示部とを備える画像表示装置。
【請求項１４】
隣接する複数のラインで構成される画像を表すアナログ信号をディジタル信号に変換する画像信号変換方法であって、
一本のラインに対応するアナログ信号たるライン信号から所定画素数の信号をサンプリングする工程と、
前記ライン信号の入力から前記サンプリング開始までのタイミングたる位相の調整量を最適化する工程と、
前記位相を前記調整量に応じて調整する工程とを備え、
前記最適化する工程は、
前記位相の最小調整単位よりも大きい第１の間隔で設定された複数の第１次調整量に対して、前記サンプリングされた各ライン間のずれを定量的に計算する工程と、
前記第１次調整量の中から、前記ずれが極小となる少なくとも１つの調整量を選択する工程と、
該選択された第１次調整量の周辺において、前記第１の間隔よりも小さい第２の間隔で設定された第２次調整量に対して、前記ずれを定量的に計算する工程と、
前記ずれの計算を行った全ての調整量の中から、前記ずれが極小となる調整量を最適値として設定する工程とを有する画像信号変換方法。
【請求項１５】
コンピュータに、隣接する複数のラインで構成される画像を表すアナログ信号をディジタル信号に変換させるためのコンピュータプログラムであって、
一本のラインに対応するアナログ信号たるライン信号から所定画素数の信号をサンプリングする標本化機構から、前記サンプリングしたデータを入力する機能と、
前記ライン信号の入力から前記サンプリング開始までのタイミングたる位相の調整量を最適化する機能と、
所定の信号を前記標本化機構に入力することで、前記位相を前記調整量に応じて調整する機能と、
前記最適化を行う機能の実現のための、
前記位相の最小調整単位よりも大きい第１の間隔で設定された複数の第１次調整量に対して、前記サンプリングされた各ライン間のずれを定量的に計算する機能と、
前記第１次調整量の中から、前記ずれが極小となる少なくとも１つの調整量を選択する機能と、
該選択された第１次調整量の周辺において、前記第１の間隔よりも小さい第２の間隔で設定された第２次調整量に対して、前記ずれを定量的に計算する機能と、
前記ずれの計算を行った全ての調整量の中から、前記ずれが極小となる調整量を最適値として設定する機能とを前記コンピュータに実現させるためのコンピュータプログラム。
【手続補正２】
【補正対象書類名】明細書
【補正対象項目名】００２２
【補正方法】削除
【補正の内容】
【手続補正３】
【補正対象書類名】明細書
【補正対象項目名】００３１
【補正方法】削除
【補正の内容】